(57)【特許請求の範囲】
【請求項１】
筐体と、
前記筐体の内部に収容されるとともに当該筐体から引出可能となっている引出部と、
前記引出部に設けられ、所定枚数の硬貨から形成される棒金硬貨が立位状態で収納される収納部と、
前記収納部に着脱自在に装着される装着部と、
を備え、
前記収納部に収納されるべき棒金硬貨の金種が予め前記収納部に割り当てられており、
前記収納部に、前記所定枚数よりも少ない枚数の硬貨から形成される、前記収納部に割り当てられた金種の少枚数棒金硬貨が収納される際に、当該収納部に装着された前記装着部に少枚数棒金硬貨が載置されるようになっており、
前記所定枚数の硬貨から形成される、前記収納部に割り当てられた金種の棒金硬貨が前記収納部に収納されるときの当該棒金硬貨の上端縁の高さレベルと、前記収納部に割り当てられた金種の少枚数棒金硬貨が前記収納部に装着されている前記装着部に載置されたときの当該少枚数棒金硬貨の上端縁の高さレベルとが略同一の大きさである、棒金収納装置。
【請求項２】
前記収納部には、少枚数棒金硬貨を構成する複数の種類の硬貨の枚数の各々に対応するよう設けられた高さが互いに異なる複数の種類の前記装着部が着脱自在に装着される、請求項１記載の棒金収納装置。
【請求項３】
前記装着部が前記収納部に装着されているか否かを検知する装着検知部を更に備えた、請求項１または２記載の棒金収納装置。
【請求項４】
前記装着検知部による検知結果に基づいて、前記収納部に収納される棒金硬貨を構成する硬貨の枚数が前記所定枚数であること、または前記所定枚数よりも少ない枚数であることを特定する硬貨枚数特定手段を更に備えた、請求項３記載の棒金収納装置。
【請求項５】
前記収納部に設けられ、前記収納部に収納されている棒金硬貨の重量を測定するための重量計と、
前記装着部が装着された前記収納部に所定の金種の少枚数棒金硬貨が収納されているか否かを判断する第１判断手段と、
を更に備え、
前記装着部の重量は、前記所定枚数から当該装着部が装着された前記収納部に収納される少枚数棒金硬貨を構成する硬貨の枚数を差し引いた枚数分の硬貨の重量に、当該収納部に収納される棒金硬貨の最大収納数を掛けた重量となっており、
前記第１判断手段は、前記重量計による測定結果に基づいて、前記装着部が装着されたことが前記装着検知部により検知された前記収納部に所定の金種の少枚数棒金硬貨が満杯状態で収納されているか否かを判断する、請求項３または４記載の棒金収納装置。
【請求項６】
前記収納部に収納されている棒金硬貨の金種を判別する金種判別部と、
前記金種判別部による判別結果に基づいて、前記装着部が装着されたことが前記装着検知部により検知された前記収納部に所定の金種の少枚数棒金硬貨が収納されているか否かを判断する第２判断手段と、
を更に備えた、請求項３または４記載の棒金収納装置。
【請求項７】
前記装着部が前記収納部に装着されているか否かを検知する装着検知部と、
前記収納部に収納されている棒金硬貨の金種を判別する金種判別部と、
前記金種判別部による判別結果に基づいて、前記装着部が装着されたことが前記装着検知部により検知された前記収納部に所定の金種の少枚数棒金硬貨が収納されているか否かを判断する第２判断手段と、
を更に備え、
前記金種判別部は、前記装着部が装着された前記収納部に収納されている少枚数棒金硬貨の上端縁の高さレベルが所定の高さレベルであるか否かを検知する上端縁検知部を含み、
前記第２判断手段は、前記装着検知部により前記装着部が前記収納部に装着されていることが検知されており、かつ前記装着部が装着された前記収納部に収納されている少枚数棒金硬貨の上端縁の高さレベルが所定の高さレベルと異なることが前記上端縁検知部により検知されたときに、前記装着部が装着された前記収納部に所定の金種以外の金種の少枚数棒金硬貨が収納されていると判断する、請求項１記載の棒金収納装置。
【請求項８】
前記金種判別部は、前記装着部が装着された前記収納部に収納されている少枚数棒金硬貨の上面または下面を撮像する撮像部を含み、当該金種判別部は、前記撮像部により撮像された少枚数棒金硬貨の上面または下面の画像に基づいて当該少枚数棒金硬貨の金種を判別する、請求項６記載の棒金収納装置。
【請求項９】
前記収納部は、底面の高さレベルが互いに異なる複数の種類のものから構成されている、請求項１記載の棒金収納装置。
【請求項１０】
棒金収納装置の収納部に着脱自在に装着される装着部であって、
前記収納部に収納されるべき棒金硬貨の金種が予め前記収納部に割り当てられており、
前記収納部には、所定枚数の硬貨から形成される棒金硬貨が立位状態で収納されるようになっており、
前記収納部に、前記所定枚数よりも少ない枚数の硬貨から形成される、前記収納部に割り当てられた金種の少枚数棒金硬貨が収納される際に、当該収納部に装着された前記装着部に少枚数棒金硬貨が載置されるようになっており、
前記所定枚数の硬貨から形成される、前記収納部に割り当てられた金種の棒金硬貨が前記収納部に収納されるときの当該棒金硬貨の上端縁の高さレベルと、前記収納部に割り当てられた金種の少枚数棒金硬貨が前記収納部に装着されている前記装着部に載置されたときの当該少枚数棒金硬貨の上端縁の高さレベルとが略同一の大きさである、装着部。
【発明の詳細な説明】
【技術分野】
【０００１】
本発明は、同一金種の硬貨を一定枚数（例えば、２０枚や５０枚）だけ棒状にまとめてフィルムや包装紙等により包装した棒金硬貨を立位状態で収納する棒金収納装置およびこのような棒金収納装置に設けられた装着部に関する。
【背景技術】
【０００２】
複数の棒金硬貨を立位状態で収納する棒金収納装置として従来から様々なタイプのものが知られている。（例えば、特許文献１等参照）。特許文献１に開示される貨幣管理装置では、複数の種類の金種の棒金硬貨が金種毎に１０本ずつ、硬貨保管容器の収納区画に立位状態で収納されるような硬貨収納ドロアが筐体から手前側に引出可能に設けられている。
【先行技術文献】
【特許文献】
【０００３】
【特許文献１】特開２０１３−１４０６４３号公報
【発明の概要】
【発明が解決しようとする課題】
【０００４】
特許文献１等に開示されるような従来の貨幣管理装置では、概して５０枚の硬貨から形成される棒金硬貨が棒金収納ドロアの硬貨保管容器に立位状態で収納されるよう、硬貨保管容器の収納区画の深さが設定されている。一方、棒金硬貨としては、５０枚の硬貨から形成されるもの以外に、２０枚の硬貨から形成される棒金硬貨（すなわち、少枚数棒金硬貨）があるが、このような２０枚の硬貨から形成される少枚数棒金硬貨を棒金収納ドロアの硬貨保管容器に収納した場合には、収納されている少枚数棒金硬貨の上端縁の高さレベルが低くなってしまうため、操作者は棒金収納ドロアの硬貨保管容器から少枚数棒金硬貨を取り出しにくくなってしまうという問題がある。
【０００５】
本発明は、このような点を考慮してなされたものであり、所定枚数（例えば、５０枚）よりも少ない枚数の硬貨から形成される少枚数棒金硬貨を収納部に収納した場合でも当該収納部から少枚数棒金硬貨を取り出しやすくすることができる棒金収納装置およびこのような棒金収納装置に設けられた装着部を提供することを目的とする。
【課題を解決するための手段】
【０００６】
本発明の棒金収納装置は、筐体と、前記筐体の内部に収容されるとともに当該筐体から引出可能となっている引出部と、前記引出部に設けられ、所定枚数の硬貨から形成される棒金硬貨が立位状態で収納される収納部と、前記収納部に着脱自在に装着される装着部と、を備え、前記収納部に収納されるべき棒金硬貨の金種が予め前記収納部に割り当てられており、前記収納部に、前記所定枚数よりも少ない枚数の硬貨から形成される、前記収納部に割り当てられた金種の少枚数棒金硬貨が収納される際に、当該収納部に装着された前記装着部に少枚数棒金硬貨が載置されるようになっており、前記所定枚数の硬貨から形成される、前記収納部に割り当てられた金種の棒金硬貨が前記収納部に収納されるときの当該棒金硬貨の上端縁の高さレベルと、前記収納部に割り当てられた金種の少枚数棒金硬貨が前記収納部に装着されている前記装着部に載置されたときの当該少枚数棒金硬貨の上端縁の高さレベルとが略同一の大きさであることを特徴とする。
【０００７】
このような棒金収納装置によれば、所定枚数（例えば、５０枚）の硬貨から形成される棒金硬貨が立位状態で収納される収納部は、所定枚数よりも少ない枚数の硬貨から形成される少枚数棒金硬貨を、その上端縁の高さレベルが所定枚数の硬貨から形成される棒金硬貨が収納されたときの上端縁の高さレベルと略同一となるよう収納可能となっているため、少枚数棒金硬貨を収納部に収納した場合でも当該収納部から少枚数棒金硬貨を取り出しやすくすることができる。
【０００９】
また、本発明の棒金収納装置においては、前記収納部には、少枚数棒金硬貨を構成する複数の種類の硬貨の枚数の各々に対応するよう設けられた高さが互いに異なる複数の種類の前記装着部が着脱自在に装着されるようになっていてもよい。
【００１０】
また、本発明の棒金収納装置は、前記装着部が前記収納部に装着されているか否かを検知する装着検知部を更に備えていてもよい。
【００１１】
この場合、本発明の棒金収納装置は、前記装着検知部による検知結果に基づいて、前記収納部に収納される棒金硬貨を構成する硬貨の枚数が前記所定枚数であること、または前記所定枚数よりも少ない枚数であることを特定する硬貨枚数特定手段を更に備えていてもよい。
【００１２】
本発明の棒金収納装置は、前記収納部に設けられ、前記収納部に収納されている棒金硬貨の重量を測定するための重量計と、前記装着部が装着された前記収納部に所定の金種の少枚数棒金硬貨が収納されているか否かを判断する第１判断手段と、を更に備え、前記装着部の重量は、前記所定枚数から当該装着部が装着された前記収納部に収納される少枚数棒金硬貨を構成する硬貨の枚数を差し引いた枚数分の硬貨の重量に、当該収納部に収納される棒金硬貨の最大収納数を掛けた重量となっており、前記第１判断手段は、前記重量計による測定結果に基づいて、前記装着部が装着されたことが前記装着検知部により検知された前記収納部に所定の金種の少枚数棒金硬貨が満杯状態で収納されているか否かを判断するようになっていてもよい。
【００１３】
本発明の棒金収納装置は、前記収納部に収納されている棒金硬貨の金種を判別する金種判別部と、前記金種判別部による判別結果に基づいて、前記装着部が装着されたことが前記装着検知部により検知された前記収納部に所定の金種の少枚数棒金硬貨が収納されているか否かを判断する第２判断手段と、を更に備えていてもよい。
【００１４】
また、前記装着部が前記収納部に装着されているか否かを検知する装着検知部と、前記収納部に収納されている棒金硬貨の金種を判別する金種判別部と、前記金種判別部による判別結果に基づいて、前記装着部が装着されたことが前記装着検知部により検知された前記収納部に所定の金種の少枚数棒金硬貨が収納されているか否かを判断する第２判断手段と、を更に備え、前記金種判別部は、前記装着部が装着された前記収納部に収納されている少枚数棒金硬貨の上端縁の高さレベルが所定の高さレベルであるか否かを検知する上端縁検知部を含み、前記第２判断手段は、前記装着検知部により前記装着部が前記収納部に装着されていることが検知されており、かつ前記装着部が装着された前記収納部に収納されている少枚数棒金硬貨の上端縁の高さレベルが所定の高さレベルと異なることが前記上端縁検知部により検知されたときに、前記装着部が装着された前記収納部に所定の金種以外の金種の少枚数棒金硬貨が収納されていると判断するようになっていてもよい。
【００１５】
あるいは、前記金種判別部は、前記装着部が装着された前記収納部に収納されている少枚数棒金硬貨の上面または下面を撮像する撮像部を含み、当該金種判別部は、前記撮像部により撮像された少枚数棒金硬貨の上面または下面の画像に基づいて当該少枚数棒金硬貨の金種を判別するようになっていてもよい。
【００１６】
本発明の棒金収納装置においては、前記収納部は、底面の高さレベルが互いに異なる複数の種類のものから構成されていてもよい。
【００１７】
本発明の装着部は、棒金収納装置の収納部に着脱自在に装着される装着部であって、前記収納部に収納されるべき棒金硬貨の金種が予め前記収納部に割り当てられており、前記収納部には、所定枚数の硬貨から形成される棒金硬貨が立位状態で収納されるようになっており、前記収納部に、前記所定枚数よりも少ない枚数の硬貨から形成される、前記収納部に割り当てられた金種の少枚数棒金硬貨が収納される際に、当該収納部に装着された前記装着部に少枚数棒金硬貨が載置されるようになっており、前記所定枚数の硬貨から形成される、前記収納部に割り当てられた金種の棒金硬貨が前記収納部に収納されるときの当該棒金硬貨の上端縁の高さレベルと、前記収納部に割り当てられた金種の少枚数棒金硬貨が前記収納部に装着されている前記装着部に載置されたときの当該少枚数棒金硬貨の上端縁の高さレベルとが略同一の大きさであることを特徴とする。
【００１８】
このような装着部を用いた場合には、所定枚数よりも少ない枚数の硬貨から形成される少枚数棒金硬貨が収納されるべき収納部に当該装着部を装着することによって、収納部に装着されている装着部に少枚数棒金硬貨を載置することにより当該少枚数棒金硬貨の上端縁の高さレベルを高くすることができるため、少枚数棒金硬貨を収納部に収納した場合でも当該収納部から少枚数棒金硬貨を取り出しやすくすることができる。
【発明の効果】
【００１９】
本発明の棒金収納装置および装着部によれば、所定枚数（例えば、５０枚）よりも少ない枚数の硬貨から形成される少枚数棒金硬貨を収納部に収納した場合でも当該収納部から少枚数棒金硬貨を取り出しやすくすることができる。
【図面の簡単な説明】
【００２０】
【図１】本発明の実施の形態による貨幣入出金機の外観を示す斜視図である。
【図２】図１に示す貨幣入出金機における棒金硬貨収納ユニットの引出部の構成を示す斜視図である。
【図３】図２に示す引出部に設けられた収納部および当該収納部に装着されている装着部の構成を示す断面斜視図である。
【図４】図３に示す装着部が収納部に装着される前の状態を示す縦断面図である。
【図５】図３に示す装着部が収納部に装着されているとき状態を示す縦断面図である。
【図６】図５に示す参照符合Ａで示す領域を拡大して示す拡大縦断面図である。
【図７】図１に示す貨幣入出金機において棒金硬貨収納ユニットの引出部が筐体から引き出される際の構成を概略的に示す側面図である。
【図８】図１に示す貨幣入出金機における制御系の構成を示す機能ブロック図である。
【図９】（ａ）〜（ｃ）は、本実施の形態による貨幣入出金機の棒金硬貨収納ユニットに設けられた収納部の収納区画の様々な構成例を示す上面図である。
【図１０】（ａ）（ｂ）は、本実施の形態による貨幣入出金機の棒金硬貨収納ユニットに設けられた更に別の収納部の収納区画の構成例を示す上面図および縦断面図である。
【図１１】本発明の別の実施の形態による貨幣管理装置の外観を示す斜視図である。
【図１２】図１１に示す貨幣管理装置における棒金硬貨収納ユニットの引出部の構成を示す斜視図である。
【発明を実施するための形態】
【００２１】
以下、図面を参照して本発明の実施の形態について説明する。図１乃至図１０は、本実施の形態に係る貨幣入出金機およびこのような貨幣入出金機に設けられた装着部を示す図である。このうち、図１は、本実施の形態による貨幣入出金機の外観を示す斜視図であり、図２は、図１に示す貨幣入出金機における棒金硬貨収納ユニットの引出部の構成を示す斜視図である。また、図３は、図２に示す引出部に設けられた収納部および当該収納部に装着されている装着部の構成を示す断面斜視図であり、図４は、図３に示す装着部が収納部に装着される前の状態を示す縦断面図であり、図５は、図３に示す装着部が収納部に装着されているとき状態を示す縦断面図である。また、図６は、図５に示す参照符合Ａで示す領域を拡大して示す拡大縦断面図である。また、図７は、図１に示す貨幣入出金機において棒金硬貨収納ユニットの引出部が筐体から引き出される際の構成を概略的に示す側面図である。また、図８は、図１に示す貨幣入出金機における制御系の構成を示す機能ブロック図である。また、図９（ａ）〜図９（ｃ）は、本実施の形態による貨幣入出金機の棒金硬貨収納ユニットに設けられた収納部の様々な構成例を示す上面図であり、図１０（ａ）および図１０（ｂ）は、本実施の形態による貨幣入出金機の棒金硬貨収納ユニットに設けられた更に別の収納部の構成例を示す上面図および縦断面図である。
【００２２】
コンビニエンスストアやスーパーマーケット等の商業施設の店舗において、顧客が立ち入ることができるフロント領域には様々な商品が陳列された商品棚が設置されているとともに、このフロント領域の精算所には貨幣釣銭機やＰＯＳレジスタが設置されている。顧客がこのような精算所で精算処理を行う際に、店員は、顧客から受け取った商品の代金としての貨幣を貨幣釣銭機に入金したり、釣銭としての貨幣を貨幣釣銭機から出金して顧客に返却したりするようになっている。また、ＰＯＳレジスタにより、顧客が購入した商品に係る情報や貨幣釣銭機に収納されている貨幣に係る情報等の管理が行われるようになっている。また、このような店舗における顧客の立ち入りが禁止されたバックヤード領域（具体的には、例えば入金室）には、貨幣釣銭機から回収された売上金としての貨幣を入金する出納機等の貨幣入出金機１が設置されている。また、貨幣釣銭機において釣銭としての貨幣が不足する場合には、貨幣入出金機１から釣銭補充金としての貨幣を出金し、この貨幣入出金機１から出金された釣銭補充金としての貨幣を貨幣釣銭機に補充することができるようになっている。
【００２３】
また、警送会社の警備員等により、貨幣入出金機１から、紙幣や硬貨が収納されている回収カセット１８、２６（後述）が取り出され、これらの回収カセット１８、２６ごと紙幣や硬貨が貨幣入出金機１から警送会社に回収されるようになっている。また、警送会社の警備員は、貨幣釣銭機で用いられる釣銭準備金としての貨幣を警送会社から店舗に運搬し、この店舗に設けられた金庫に収納させるようになっている。そして、貨幣入出金機１において上記の釣銭準備金としての貨幣が不足した場合には、警送会社の警備員は、金庫から貨幣を取り出して貨幣入出金機１に入金するようになっている。
【００２４】
このような店舗におけるバックヤード領域に設けられた出納機等の貨幣入出金機１の構成の詳細について以下に説明する。
【００２５】
図１に示すように、本実施の形態による貨幣入出金機１は、略直方体形状の筐体２を備えており、この筐体２の内部には、紙幣の入金処理および出金処理を行う紙幣処理ユニット１０、硬貨の入金処理および出金処理を行う硬貨処理ユニット２０、および棒金硬貨（同一金種の硬貨を一定枚数（例えば、２０枚や５０枚）だけ棒状にまとめてフィルムや包装紙等により包装したもの）を収納する棒金硬貨収納ユニット３０がそれぞれ収容されている。図１に示すように、紙幣処理ユニット１０および硬貨処理ユニット２０は貨幣入出金機１を手前側から見て左右に並ぶよう配置されており、これらの紙幣処理ユニット１０および硬貨処理ユニット２０の下方に棒金硬貨収納ユニット３０が配置されている。
【００２６】
図１に示すように、紙幣処理ユニット１０は、筐体２の前面側の右側領域に設けられた紙幣受入部１２と、筐体２の前面側において紙幣受入部１２の下方に設けられた紙幣払出部１４とを備えている。また、筐体２の内部には、紙幣を収納するとともに収納されている紙幣を繰出可能な紙幣収納部（図示せず）が複数設けられている。このような紙幣処理ユニット１０において紙幣の入金処理が行われる際に、紙幣受入部１２に受け入れられた紙幣は当該紙幣受入部１２に設けられた繰出機構（図示せず）により筐体２の内部に繰り出され、識別部（図示せず）により識別された後に各紙幣収納部に収納されるようになっている。また、紙幣処理ユニット１０において紙幣の出金処理が行われる際に、各紙幣収納部から繰り出された紙幣が紙幣払出部１４に送られるようになっており、操作者はこの紙幣払出部１４から出金紙幣を筐体２の外部に取り出すことができるようになっている。また、紙幣処理ユニット１０は、紙幣収納カセット（図示せず）を装着可能なカセット装着部（図示せず）を備えており、このカセット装着部の前面側には扉１６が設けられている。そして、操作者はこの扉１６を開くことにより紙幣収納カセットをカセット装着部に装着させたりこのカセット装着部から紙幣収納カセットを取り出したりすることができるようになっている。
【００２７】
また、紙幣処理ユニット１０において、筐体２の内部における下部領域には回収カセット１８が収容されており、警送会社の警備員等により回収されるべき紙幣が回収カセット１８に収納されるようになっている。また、回収カセット１８の前面側には扉１８ａが設けられており、この扉１８ａを開くことにより回収カセット１８を筐体２の内部に収容させたり筐体２の内部から回収カセット１８を取り出したりすることができるようになっている。
【００２８】
次に、硬貨処理ユニット２０の構成について説明する。図１に示すように、硬貨処理ユニット２０は、筐体２の前面側の左側領域に設けられた硬貨受入部２２と、筐体２の前面側において硬貨受入部２２の下方に設けられた硬貨払出部２４と、筐体２の内部で硬貨を収納するとともに収納されている硬貨を繰出可能な複数の収納繰出部（図示せず）とを備えている。このような硬貨処理ユニット２０において硬貨の入金処理が行われる際に、硬貨受入部２２に受け入れられた硬貨は当該硬貨受入部２２に設けられた繰出機構（図示せず）により筐体２の内部に繰り出され、識別部（図示せず）により識別された後に各硬貨収納部に収納されるようになっている。また、硬貨処理ユニット２０において硬貨の出金処理が行われる際に、各硬貨収納部から繰り出された硬貨が硬貨払出部２４に送られるようになっており、操作者はこの硬貨払出部２４から出金硬貨を筐体２の外部に取り出すことができるようになっている。
【００２９】
また、硬貨処理ユニット２０において、筐体２の内部における下部領域には回収カセット２６が収容されており、警送会社の警備員等により回収されるべき硬貨が回収カセット２６に収納されるようになっている。また、回収カセット２６の前面側には扉２６ａが設けられており、この扉２６ａを開くことにより回収カセット２６を筐体２の内部に収容させたり筐体２の内部から回収カセット２６を取り出したりすることができるようになっている。
【００３０】
次に、棒金硬貨収納ユニット３０の構成について説明する。図２に示すように、棒金硬貨収納ユニット３０は、所定枚数（例えば、５０枚）の硬貨から形成される棒金硬貨が立位状態で金種毎に収納される複数の収納部３２（３２ａ〜３２ｆ）が設けられた引出部３１を有しており、当該引出部３１は貨幣入出金機１の筐体２の内部に収容されるとともに筐体２から手前側に引出可能となっている。より詳細には、各収納部３２（３２ａ〜３２ｆ）は、１０本の棒金硬貨を立位状態で収納可能な収納区画を複数（具体的には、２〜４つ）有しており、各収納区画は他の収納区画から区切り部材により区切られている。図２において、各収納部３２（３２ａ〜３２ｆ）の収納区画に立位状態で収納されている棒金硬貨を参照符合Ｗで示している。なお、各収納区画に棒金硬貨を立位状態で収納するとは、当該収納区画に棒金硬貨が収納されたときにこの棒金硬貨の長手方向が鉛直方向を向くことを意味している。そして、引出部３１を貨幣入出金機１の筐体２の内部から手前側に引き出すことにより、各収納部３２（３２ａ〜３２ｆ）の収納区画に棒金硬貨を収納したりこれらの収納部３２（３２ａ〜３２ｆ）に収納されている棒金硬貨を取り出したりすることができるようになっている。また、図８に示すように、棒金硬貨収納ユニット３０は、引出部３１を筐体２の内部にロックするロック機構５０を有しており、引出部３１が筐体２の内部にロックされている状態では当該引出部３１を筐体２の内部から手前側に引き出すことができないようになっている。また、各収納部３２（３２ａ〜３２ｆ）に収納されている棒金硬貨の重量を測定するためのロードセル等の重量計５２が各収納部３２（３２ａ〜３２ｆ）に対応して設けられている。このような重量計５２により測定される棒金硬貨の重量に基づいて、後述する制御部９０において各収納部３２（３２ａ〜３２ｆ）に収納されている棒金硬貨の本数が算出されるようになっている。
【００３１】
また、本実施の形態では、上述したように、各収納部３２（３２ａ〜３２ｆ）には、所定枚数（例えば、５０枚）の硬貨から形成される棒金硬貨が金種毎に立位状態で収納されるようになっているが、各収納部３２（３２ａ〜３２ｆ）は、所定枚数よりも少ない枚数（例えば、２０枚）の硬貨から形成される少枚数棒金硬貨を、その上端縁の高さレベルが所定枚数（例えば、５０枚）の硬貨から形成される棒金硬貨が収納されたときの上端縁の高さレベルと略同一となるよう収納可能となっている。具体的には、各収納部３２には、図３等に示すような構成の装着部４０が着脱自在に装着されるようになっており、少枚数棒金硬貨が収納部３２に収納される際に、当該収納部３２に装着された装着部４０に少枚数棒金硬貨が立位状態で載置されるようになっている。なお、図２では、収納部３２ｅに装着部４０が装着されておりこの収納部３２ｅに少枚数棒金硬貨が収納されている例が示されている。また、図２および図３において、収納部３２に装着された装着部４０に載置されている少枚数棒金硬貨を参照符合Ｗ´で示している。なお、収納部３２の収納区画に収納される棒金硬貨の本数と、当該収納区画における収納部３２に装着された装着部４０に載置される少枚数棒金硬貨の本数は同じ（具体的には、両方とも１０本）となっている。また、図２および図３に示すように、収納部３２に装着部４０を装着することにより、この収納部３２の底面の高さレベルを嵩上げすることができるため、所定枚数（例えば、５０枚）の硬貨から形成される棒金硬貨が収納部３２に収納されたときの当該棒金硬貨の上端縁の高さレベルと、所定枚数よりも少ない枚数（例えば、２０枚）の硬貨から形成される少枚数棒金硬貨が収納部３２に装着されている装着部４０に載置されたときの当該少枚数棒金硬貨の上端縁の高さレベルとを略同一の大きさとすることができるようになる。このことにより、少枚数棒金硬貨を各収納部３２に収納した場合でも操作者は当該収納部３２から少枚数棒金硬貨を取り出しやすくなる。
【００３２】
装着部４０を収納部３２に装着する動作の詳細について図４乃至図６を用いて説明する。上述したように、図４は、装着部４０が収納部３２に装着される前の状態を示す縦断面図であり、図５は、装着部４０が収納部３２に装着されているとき状態を示す縦断面図である。また、図６は、図５に示す参照符合Ａで示す領域を拡大して示す拡大縦断面図である。図４等に示すように、装着部４０の両端部の下端部分には係合部分４２が設けられており、各収納部３２における装着部４０の各係合部分４２に対応する箇所には当該係合部分４２が係合される被係合部分３４（具体的には、貫通穴）が設けられている。そして、図４の矢印に示すように装着部４０を収納部３２の真上の位置から真下に押し込むことにより、装着部４０の各係合部分４２が収納部３２の各被係合部分３４に係合される。また、収納部３２の各被係合部分３４から装着部４０の各係合部分４２を取り外すことにより、装着部４０を収納部３２から取り外すことができるようになる。
【００３３】
また、図６に示すように、収納部３２には、各被係合部分３４に係合された装着部４０の各係合部分４２を検知するフォトインタラプタ等の装着検知センサ３６が設けられており、このような装着検知センサ３６により、装着部４０が収納部３２に装着されているか否かを検知することができるようになっている。
【００３４】
また、本実施の形態による棒金硬貨収納ユニット３０は、収納部３２に収納されている棒金硬貨の金種を判別する金種判別部３８（図８参照）を有している。具体的には、金種判別部３８として、筐体２側に設けられたフォトインタラプタ等の上端縁検知センサ３８ａ（図７参照）が用いられるようになっている。図７に示すように、上端縁検知センサ３８ａは、引出部３１が筐体２の内部から引き出されたり当該引出部３１が筐体２の内部に収容されたりする際に、収納部３２に収納されている棒金硬貨の上端縁の高さレベルが所定の高さレベル（具体的には、図７において二点鎖線で示す高さレベル）であるか否かを検知するようになっている。また、上述したように、所定枚数（例えば、５０枚）の硬貨から形成される棒金硬貨が収納部３２に収納されたときの当該棒金硬貨の上端縁の高さレベルが、所定枚数よりも少ない枚数（例えば、２０枚）の硬貨から形成される少枚数棒金硬貨が収納部３２に装着されている装着部４０に載置されたときの当該少枚数棒金硬貨の上端縁の高さレベルと略同一の大きさとなっているため、一つの上端縁検知センサ３８ａにより、収納部３２に収納されている所定枚数（例えば、５０枚）の硬貨から形成される棒金硬貨の上端縁の高さレベル、および装着部４０に載置されている少枚数棒金硬貨の上端縁の高さレベルがそれぞれ所定の高さレベルであるか否かを検知することができるようになる。例えば、図７に示す例では、収納部３２ｂ、３２ｃ、３２ｄにそれぞれ装着部４０が装着されているが、所定枚数の硬貨から形成される棒金硬貨が収納部３２ａ、３２ｅ、３２ｆに収納されたときの当該棒金硬貨の上端縁の高さレベルが、少枚数棒金硬貨が収納部３２ｂ、３２ｃ、３２ｄに装着されている装着部４０に載置されたときの当該少枚数棒金硬貨の上端縁の高さレベルと略同一の大きさとなる。
【００３５】
そして、上述したように、各収納部３２（３２ａ〜３２ｆ）に収納されるべき棒金硬貨の金種が予め各収納部３２毎に割り当てられているため、各収納部３２に割り当てられた金種とは異なる金種の棒金硬貨が当該収納部３２に誤って収納された場合には、上端縁検知センサ３８ａにより当該棒金硬貨の上端縁の高さレベルが所定の高さレベルと異なることが検知されることにより、後述する制御部９０において収納部３２に誤った金種の棒金硬貨が収納されていると判断されるようになる。また、各収納部３２に割り当てられた金種とは異なる金種の少枚数棒金硬貨が当該収納部３２に装着されている装着部４０に誤って載置された場合にも、上端縁検知センサ３８ａにより当該少枚数棒金硬貨の上端縁の高さレベルが所定の高さレベルと異なることが検知されることにより、後述する制御部９０において収納部３２に誤った金種の少枚数棒金硬貨が収納されていると判断されるようになる。なお、図７に示す例では、収納部３２ｂにおける右側の少枚数棒金硬貨の上端縁および収納部３２ｄにおける左側の少枚数棒金硬貨の上端縁の高さレベルがそれぞれ所定の高さレベルと異なることが上端縁検知センサ３８ａにより検知されるようになり、このことによりこれらの少枚数棒金硬貨の金種が収納部３２ｂや収納部３２ｄに収納されるべき少枚数棒金硬貨の金種とは異なっていると制御部９０において判断されるようになる。
【００３６】
また、装着部４０の重量は、上記の所定枚数（例えば、５０枚）から当該装着部４０が装着された収納部３２に収納される少枚数棒金硬貨を構成する硬貨の枚数（例えば、２０枚）を差し引いた枚数分（すなわち、３０枚分）の硬貨の重量に、当該収納部３２に収納される棒金硬貨の最大収納数（例えば、２０本〜４０本）を掛けた重量となっている。この場合には、所定枚数（例えば、５０枚）の硬貨から形成される棒金硬貨が収納部３２に満杯状態で収納されたときの当該棒金硬貨の合計重量と、所定枚数よりも少ない枚数（例えば、２０枚）の硬貨から形成される少枚数棒金硬貨が収納部３２に装着されている装着部４０に満杯状態で載置されたときの当該少枚数棒金硬貨および装着部４０の合計重量とが略同一となるため、一つの重量計５２により、装着部４０が装着されていないような収納部３２に収納されている棒金硬貨（すなわち、所定枚数の硬貨から形成される棒金硬貨）の本数および装着部４０が装着されている収納部３２に収納されている少枚数棒金硬貨の本数をそれぞれ算出することができるようになる。
【００３７】
また、本実施の形態では、少枚数棒金硬貨を構成する複数の種類の硬貨の枚数（例えば、２０枚、３０枚、４０枚等）の各々に対応するよう、高さが互いに異なる複数の種類の装着部４０が設けられており、各種類の装着部４０がそれぞれ収納部３２に着脱自在に装着されるようになっていてもよい。具体的には、各種類の装着部４０の高さが互いに異なる場合でも、各種類の装着部４０の両端部の下端部分に同一の構成の係合部分４２を設けることにより、各種類の装着部４０をそれぞれ収納部３２に着脱自在に装着させることができるようになる。このことにより、少枚数棒金硬貨を構成する硬貨の枚数が異なる場合でも、収納部３２に収納されている所定枚数（例えば、５０枚）の硬貨から形成される棒金硬貨の上端縁の高さレベルを、装着部４０に載置されている少枚数棒金硬貨の上端縁の高さレベルと略同一の大きさとすることができるようになる。
【００３８】
次に、このような貨幣入出金機１における制御系の構成について図８を用いて説明する。図８に示すように、本実施の形態による貨幣入出金機１の筐体２の内部には制御部９０が設けられており、当該制御部９０により紙幣処理ユニット１０、硬貨処理ユニット２０および棒金硬貨収納ユニット３０の各々の構成部材が制御されるようになっている。具体的には、棒金硬貨収納ユニット３０の重量計５２により測定された各収納部３２に収納されている棒金硬貨の重量に係る情報や、装着検知センサ３６による検知結果に係る情報、および金種判別部３８による判別結果に係る情報がそれぞれ制御部９０に送られるようになっている。また、制御部９０は棒金硬貨収納ユニット３０のロック機構５０に指令信号を送ることにより当該ロック機構５０の制御を行うようになっている。
【００３９】
また、図８に示すように、制御部９０には、操作表示部９２、記憶部９４、通信部９６、硬貨枚数特定手段９７、第１判断手段９８および第２判断手段９９がそれぞれ接続されている。操作表示部９２は筐体２の上部に設けられたタッチパネル等からなり、操作者が操作するための操作画面や、紙幣処理ユニット１０、硬貨処理ユニット２０および棒金硬貨収納ユニット３０の各々に収納されている貨幣の在高に係る情報が操作表示部９２に表示されるようになっている。また、このような操作表示部９２において操作者は操作画面における操作ボタンに指を触れることによって制御部９０に様々な指令を入力することができるようになっている。記憶部９４には、紙幣処理ユニット１０、硬貨処理ユニット２０および棒金硬貨収納ユニット３０の各々に収納されている貨幣の在高に係る情報や、貨幣入出金機１における貨幣の処理履歴等の様々な情報が記憶されるようになっている。通信部９６は上位端末等の外部装置に対して有線または無線により様々な信号の送受信を行うことができるようになっている。
【００４０】
硬貨枚数特定手段９７は、装着検知センサ３６による検知結果に基づいて、収納部３２に収納される棒金硬貨の枚数を特定するようになっている。具体的には、装着部４０が収納部３２に装着されていないことが装着検知センサ３６により検知された場合には、硬貨枚数特定手段９７は当該収納部３２に収納される棒金硬貨の枚数が所定枚数（例えば、５０枚）であることを特定する。一方、装着部４０が収納部３２に装着されていることが装着検知センサ３６により検知された場合には、硬貨枚数特定手段９７は当該収納部３２に収納される棒金硬貨の枚数が所定枚数よりも少ない枚数（例えば、２０枚）であることを特定する。
【００４１】
第１判断手段９８は、重量計５２による測定結果に基づいて、装着部４０が装着された収納部３２に所定の金種の少枚数棒金硬貨が収納されているか否かを判断するようになっている。上述したように、装着部４０の重量は、上記の所定枚数（例えば、５０枚）から当該装着部４０が装着された収納部３２に収納される少枚数棒金硬貨を構成する硬貨の枚数（例えば、２０枚）を差し引いた枚数分（すなわち、３０枚分）の硬貨の重量に、当該収納部３２に収納される棒金硬貨の最大収納数（例えば、２０本〜４０本）を掛けた重量となっているため、所定枚数（例えば、５０枚）の硬貨から形成される棒金硬貨が収納部３２に満杯状態で収納されたときの当該棒金硬貨の合計重量と、所定枚数よりも少ない枚数（例えば、２０枚）の硬貨から形成される少枚数棒金硬貨が収納部３２に装着されている装着部４０に満杯状態で載置されたときの当該少枚数棒金硬貨および装着部４０の合計重量とが略同一となる。そして、装着部４０が装着された収納部３２に所定の金種以外の金種の少枚数棒金硬貨が収納されている場合には、装着部４０が装着された収納部３２に所定の金種の少枚数棒金硬貨が収納されている場合と比較して重量計５２による測定結果が異なるようになるため、第１判断手段９８は、装着部４０が装着された収納部３２に所定の金種以外の金種の少枚数棒金硬貨が収納されていると判断することができるようになる。
【００４２】
第２判断手段９９は、金種判別部３８による判別結果に基づいて、装着部４０が装着された収納部３２に所定の金種の少枚数棒金硬貨が収納されているか否かを判断するようになっている。具体的には、第２判断手段９９は、装着部４０が装着された収納部３２に収納されている少枚数棒金硬貨の上端縁の高さレベルが所定の高さレベルよりも大きいことが上端縁検知センサ３８ａにより検知されたときに、装着部４０が装着された収納部３２に所定の金種以外の金種の少枚数棒金硬貨が収納されていると判断するようになっている。
【００４３】
なお、図８に示す例では制御部９０に第１判断手段９８および第２判断手段９９が接続されるような例が示されているが、本実施の形態による貨幣入出金機１の制御系の構成はこのような例に限定されることはない。本実施の形態による貨幣入出金機１として、上記の第１判断手段９８および第２判断手段９９のうちいずれか一方のみが設けられるようになっていてもよい。この場合でも、装着部４０が装着された収納部３２に所定の金種の少枚数棒金硬貨が収納されているか否かを判断することができるようになる。
【００４４】
次に、このような構成からなる貨幣入出金機１の動作（具体的には、棒金硬貨収納ユニット３０に棒金硬貨を収納する動作）について説明する。
【００４５】
棒金硬貨収納ユニット３０に棒金硬貨を収納する際に、操作者はまず引出部３１を筐体２の内部から手前側に引き出す。そして、所定枚数（例えば、５０枚）の硬貨から形成される棒金硬貨を棒金硬貨収納ユニット３０に収納する場合には、当該棒金硬貨の金種に対応する収納部３２にこの棒金硬貨を立位状態で収納する。なお、この際に収納部３２に装着部４０は装着されない。所定枚数の硬貨から形成される棒金硬貨が収納部３２に収納されると、重量計５２により当該収納部３２に収納された棒金硬貨の重量が測定されるため、制御部９０は重量計５２による測定結果に基づいて収納部３２に収納された棒金硬貨の本数を算出することができるようになる。
【００４６】
一方、所定の枚数よりも少ない枚数（例えば、２０枚）の硬貨からなる少枚数棒金硬貨を棒金硬貨収納ユニット３０に収納する場合には、まず当該少枚数棒金硬貨の金種に対応する収納部３２に装着部４０を装着する。具体的には、図４の矢印に示すように装着部４０を収納部３２の真上の位置から真下に押し込むことにより、装着部４０の各係合部分４２を収納部３２の各被係合部分３４に係合させる。装着部４０の各係合部分４２が収納部３２の各被係合部分３４に係合すると、収納部３２に装着部４０が装着されたことが装着検知センサ３６により検知される。その後、操作者は収納部３２に装着されている装着部４０に少枚数棒金硬貨を立位状態で載置する。ここで、収納部３２に装着部４０を装着することにより、この収納部３２の底面の高さレベルを嵩上げすることができるため、所定枚数（例えば、５０枚）の硬貨から形成される棒金硬貨が収納部３２に収納されたときの当該棒金硬貨の上端縁の高さレベルと、所定枚数よりも少ない枚数（例えば、２０枚）の硬貨から形成される少枚数棒金硬貨が収納部３２に装着されている装着部４０に載置されたときの当該少枚数棒金硬貨の上端縁の高さレベルとを略同一の大きさとすることができるようになる。このことにより、少枚数棒金硬貨を各収納部３２に収納した場合でも操作者は当該収納部３２から少枚数棒金硬貨を取り出しやすくなる。また、装着部４０に少枚数棒金硬貨が載置されることにより当該少枚数棒金硬貨が収納部３２に収納されると、重量計５２により当該収納部３２に収納された少枚数棒金硬貨の重量が測定されるため、制御部９０は重量計５２による測定結果に基づいて収納部３２に収納された少枚数棒金硬貨の本数を検知することができるようになる。また、第１判断手段９８は、重量計５２による測定結果に基づいて、装着部４０が装着された収納部３２に所定の金種の少枚数棒金硬貨が収納されているか否かを判断するようになる。ここで、装着部４０が装着された収納部３２に所定の金種以外の金種の少枚数棒金硬貨が収納されていると第１判断手段９８により判断された場合には、当該判断結果に係る情報が操作表示部９２に表示されるようになる。このことにより、操作者は装着部４０が装着された収納部３２に所定の金種以外の金種の少枚数棒金硬貨を誤って収納してしまったことに気づくことができるようになる。
【００４７】
引出部３１に設けられた各収納部３２に棒金硬貨を収納した後、当該引出部３１を筐体２の内部に戻す際に、筐体２側に設けられた上端縁検知センサ３８ａによって、各収納部３２に収納されている棒金硬貨の上端縁の高さレベルが所定の高さレベルであるか否かが検知される。ここで、上述したように、所定枚数（例えば、５０枚）の硬貨から形成される棒金硬貨が収納部３２に収納されたときの当該棒金硬貨の上端縁の高さレベルが、所定枚数よりも少ない枚数（例えば、２０枚）の硬貨から形成される少枚数棒金硬貨が収納部３２に装着されている装着部４０に載置されたときの当該少枚数棒金硬貨の上端縁の高さレベルと略同一の大きさとなっているため、一つの上端縁検知センサ３８ａにより、収納部３２に収納されている所定枚数（例えば、５０枚）の硬貨から形成される棒金硬貨の上端縁の高さレベル、および装着部４０に載置されている少枚数棒金硬貨の上端縁の高さレベルがそれぞれ所定の高さレベルであるか否かを検知することができるようになる。また、各収納部３２に収納されるべき棒金硬貨の金種が予め収納部３２毎に割り当てられているため、各収納部３２に割り当てられた金種とは異なる金種の棒金硬貨が当該収納部３２に誤って収納された場合には、上端縁検知センサ３８ａにより当該棒金硬貨の上端縁の高さレベルが所定の高さレベルと異なることが検知されるようになる。また、各収納部３２に割り当てられた金種とは異なる金種の少枚数棒金硬貨が当該収納部３２に装着されている装着部４０に誤って載置された場合にも、上端縁検知センサ３８ａにより当該少枚数棒金硬貨の上端縁の高さレベルが所定の高さレベルと異なることが検知されるようになる。このことにより、第２判断手段９９は、装着部４０が装着された収納部３２に収納されている少枚数棒金硬貨の上端縁の高さレベルが所定の高さレベルと異なることが上端縁検知センサ３８ａにより検知されたときに、装着部４０が装着された収納部３２に所定の金種以外の金種の少枚数棒金硬貨が収納されていると判断するようになる。また、装着部４０が装着された収納部３２に所定の金種以外の金種の少枚数棒金硬貨が収納されていると第２判断手段９９により判断された場合には、当該判断結果に係る情報が操作表示部９２に表示されるようになる。このことにより、操作者は装着部４０が装着された収納部３２に所定の金種以外の金種の少枚数棒金硬貨を誤って収納してしまったことに気づくことができるようになる。
【００４８】
以上のような構成からなる本実施の形態の貨幣入出金機１（棒金収納装置）によれば、所定枚数（例えば、５０枚）の硬貨から形成される棒金硬貨が立位状態で収納される収納部３２は、所定枚数よりも少ない枚数（例えば２０枚）の硬貨から形成される少枚数棒金硬貨を、その上端縁の高さレベルが所定枚数の硬貨から形成される棒金硬貨が収納されたときの上端縁の高さレベルと略同一となるよう収納可能となっている。このことにより、所定枚数（例えば、５０枚）よりも少ない枚数の硬貨から形成される少枚数棒金硬貨を収納部３２に収納した場合でも当該収納部３２から少枚数棒金硬貨を取り出しやすくすることができる。
【００４９】
また、本実施の形態の貨幣入出金機１においては、上述したように、収納部３２に着脱自在に装着される装着部４０が設けられており、所定枚数よりも少ない枚数の硬貨から形成される少枚数棒金硬貨が収納部３２に収納される際に当該収納部３２に装着された装着部４０に少枚数棒金硬貨が載置されるようになっている。この場合には、収納部３２に装着部４０を装着することにより、この収納部３２の底面の高さレベルを嵩上げすることができるため、所定枚数（例えば、５０枚）の硬貨から形成される棒金硬貨が収納部３２に収納されたときの当該棒金硬貨の上端縁の高さレベルと、所定枚数よりも少ない枚数（例えば、２０枚）の硬貨から形成される少枚数棒金硬貨が収納部３２に装着されている装着部４０に載置されたときの当該少枚数棒金硬貨の上端縁の高さレベルとを略同一の大きさとすることができるようになる。また、この場合には、棒金硬貨収納ユニット３０において棒金硬貨を構成する硬貨の枚数等について急な仕様変更があった場合でも、収納部３２を改造したり設計変更したりすることなく、装着部４０を既存の収納部３２に装着するだけで上記の仕様変更に対応することができるようになる。
【００５０】
また、本実施の形態の貨幣入出金機１においては、上述したように、収納部３２には、棒金硬貨を構成する複数の種類の硬貨の枚数の各々に対応するよう設けられた高さが互いに異なる複数の種類の装着部４０が着脱自在に装着されるようになっている。このことにより、少枚数棒金硬貨を構成する硬貨の枚数が異なる場合でも、収納部３２に収納されている所定枚数（例えば、５０枚）の硬貨から形成される棒金硬貨の上端縁の高さレベルを、装着部４０に載置されている少枚数棒金硬貨の上端縁の高さレベルと略同一の大きさとすることができるようになる。
【００５１】
また、本実施の形態の貨幣入出金機１においては、上述したように、装着部４０が収納部３２に装着されているか否かを検知する装着検知センサ３６（装着検知部）が設けられている。また、硬貨枚数特定手段９７は、装着検知センサ３６による検知結果に基づいて、収納部３２に収納される棒金硬貨を構成する硬貨の枚数を特定することができるようになっている。この場合には、装着部４０が収納部３２に装着されているか否かに基づいて、収納部３２に収納される棒金硬貨を構成する硬貨の枚数を自動で特定することができるようになるため、収納部３２に収納される棒金硬貨を構成する硬貨の枚数に係る情報を操作者が操作表示部９２等により手動で入力する手間を省くことができるようになる。また、装着検知センサ３６による検知結果に基づいて、収納部３２への装着部４０の装着し忘れや装着間違いを防止することができるようになる。
【００５２】
また、本実施の形態の貨幣入出金機１においては、上述したように、収納部３２には、当該収納部３２に収納されている棒金硬貨の重量を測定するための重量計５２が設けられており、装着部４０の重量は、上記の所定枚数から装着部４０が装着された収納部３２に収納される少枚数棒金硬貨を構成する硬貨の枚数を差し引いた枚数分の硬貨の重量に、当該収納部３２に収納される棒金硬貨の最大収納数を掛けた重量となっている。そして、第１判断手段９８は、重量計５２による測定結果に基づいて、装着部４０が装着された収納部３２に所定の金種の少枚数棒金硬貨が収納されているか否かを判断するようになっている。この場合には、装着部４０が装着された収納部３２に所定の金種以外の金種の少枚数棒金硬貨が誤って収納された場合に操作者はすぐにこのことに気づくことができるようになる。また、この場合には、重量計５２において少枚数棒金硬貨専用の閾値に設定変更する必要がなくなるため、設定ミス等のトラブルが発生してしまうことを防止することができるようになる。
【００５３】
また、本実施の形態の貨幣入出金機１においては、上述したように、収納部３２に収納されている棒金硬貨の金種を判別する金種判別部３８が設けられており、第２判断手段９９は、金種判別部３８による判別結果に基づいて、装着部４０が装着された収納部３２に所定の金種の少枚数棒金硬貨が収納されているか否かを判断するようになっている。この場合には、装着部４０が装着された収納部３２に所定の金種以外の金種の少枚数棒金硬貨が誤って収納された場合に操作者はすぐにこのことに気づくことができるようになる。また、この場合には、少枚数棒金硬貨のみを検出するための光学センサ等を新たに設ける必要がなくなるため、装置全体のコストダウンを図ることができるようになる。
【００５４】
より詳細には、金種判別部３８は、装着部４０が装着された収納部３２に収納されている少枚数棒金硬貨の上端縁の高さレベルが所定の高さレベルであるか否かを検知する上端縁検知センサ３８ａ（上端縁検知部）を含み、第２判断手段９９は、装着部４０が装着された収納部３２に収納されている少枚数棒金硬貨の上端縁の高さレベルが所定の高さレベルと異なることが上端縁検知センサ３８ａにより検知されたときに、装着部４０が装着された収納部３２に所定の金種以外の金種の少枚数棒金硬貨が収納されていると判断するようになっている。
【００５５】
なお、本実施の形態の貨幣入出金機１においては、金種判別部３８は上記の構成の上端縁検知センサ３８ａに限定されることはない。金種判別部３８として、装着部４０が装着された収納部３２に収納されている少枚数棒金硬貨の上端縁の高さレベルが所定の高さレベルであるか否かを検知する上端縁検知センサが筐体２側ではなく各収納部３２に設けられていてもよい。この際に、上端縁検知センサ自体が各収納部３２において例えば水平方向に移動するようになっていてもよい。この場合には、引出部３１を筐体２の内部から引き出したり当該引出部３１を筐体２の内部に戻したりしなくても、装着部４０が装着された収納部３２に収納されている少枚数棒金硬貨の上端縁の高さレベルが所定の高さレベルであるか否かを検知することができるようになる。また、金種判別部３８として、装着部４０が装着された収納部３２に収納されている棒金硬貨の上面または下面を撮像するラインセンサや撮像カメラ等の撮像部が用いられるようになっていてもよい。この場合には、金種判別部３８は、撮像部により撮像された棒金硬貨の上面または下面の画像に基づいて当該棒金硬貨の金種を判別するようになる。なお、このような撮像部は引出部３１に設けられていてもよく、あるいは筐体２側に設けられていてもよい。撮像部が筐体２側に設けられる場合には、引出部３１を筐体２の内部から引き出したり当該引出部３１を筐体２の内部に戻したりする際に収納部３２に収納されている棒金硬貨の上面または下面が撮像部により撮像されるようになる。また、撮像部が引出部３１に設けられる場合に、撮像部自体が各収納部３２において水平方向に移動するようになっていてもよい。また、棒金硬貨の下面を撮像部により撮像する場合には、収納部３２や装着部４０は透明または半透明の材料から形成されるようになる。また、金種判別部３８として撮像カメラを用いる場合には、収納部３２に装着部４０を装着することにより、この収納部３２の底面の高さレベルを嵩上げすることができるため、所定枚数（例えば、５０枚）の硬貨から形成される棒金硬貨が収納部３２に収納されたときの当該棒金硬貨の上端縁の高さレベルと、所定枚数よりも少ない枚数（例えば、２０枚）の硬貨から形成される少枚数棒金硬貨が収納部３２に装着されている装着部４０に載置されたときの当該少枚数棒金硬貨の上端縁の高さレベルとを略同一の大きさとすることができ、よって少枚数棒金硬貨の上面を撮像カメラにより撮像する際にピントと合わせ直す必要がなくなるため、撮像カメラにより取得される少枚数棒金硬貨の上面の画像を鮮明なものとすることができる。このことにより、金種判別部３８において少枚数棒金硬貨の金種が誤検知されてしまうことを防止することができるようになる。
【００５６】
なお、本実施の形態による貨幣入出金機１は、上述したような態様に限定されることはなく、様々な変更を加えることができる。
【００５７】
例えば、図２に示すような棒金硬貨収納ユニット３０における収納部３２の各収納区画の構成は図９（ａ）に示すように１０本の棒金硬貨を立位状態で収納可能な八角形形状のものとなっているが、本実施の形態では収納区画の構成は図９（ａ）に示すような形状のものに限定されることはない。収納部３２の収納区画の他の例として、図９（ｂ）に示すような、５本の棒金硬貨を立位状態で収納可能な台形形状の収納区画３２ｐや、図９（ｃ）に示すような、３本の棒金硬貨を立位状態で収納可能な三角形形状の収納区画３２ｑが用いられてもよい。また、収納部３２の収納区画として、図９（ａ）〜図９（ｃ）に示す形状以外の形状のものが用いられてもよい。
【００５８】
また、本実施の形態では、棒金硬貨収納ユニット３０における収納部３２の各収納区画の構成として、図１０（ａ）（ｂ）に示すような、各々の棒金硬貨の下端部分が収容される複数の円柱形状の凹部３２ｒが設けられたものが用いられてもよい。なお、図１０（ａ）は、更に別の収納部３２の収納区画の構成例を示す上面図であり、図１０（ｂ）は、図１０に示す収納区画の縦断面図である。図１０（ａ）に示すように、収納部３２の各収納区画には、当該収納区画に収納される棒金硬貨の本数と同じ数だけの凹部３２ｒが設けられており、各凹部３２ｒに棒金硬貨の下端部分が収容されるようになっている。また、各凹部３２ｒの底面には突起３２ｓが設けられており、棒金硬貨の端面におけるフィルムや包装紙等によりかしめられていない部分にこの突起３２ｓが入るようになっている。このような突起３２ｓが設けられていることにより、棒金硬貨を立位状態で安定的に凹部３２ｒに収容させることができるようになる。棒金硬貨収納ユニット３０における収納部３２の各収納区画の構成が図１０（ａ）（ｂ）に示すようなものとなっている場合にも、本実施の形態による装着部４０を当該収納部３２に装着させることができるようになっている。
【００５９】
また、本実施の形態では、所定枚数（例えば、５０枚）の硬貨から形成される棒金硬貨が立位状態で収納される収納部において、所定枚数よりも少ない枚数の硬貨から形成される少枚数棒金硬貨を、その上端縁の高さレベルが所定枚数の硬貨から形成される棒金硬貨が収納されたときの上端縁の高さレベルと略同一となるよう収納可能とするにあたり、上述したような、収納部に着脱自在に装着される装着部を設けるような態様に限定されることはない。他の態様として、収納部は、底面の高さレベルが互いに異なる複数の種類のものから構成されていてもよい。具体的には、収納部は複数の収納区画を有しており、ある収納区画は、所定枚数（例えば、５０枚）の硬貨から形成される棒金硬貨が立位状態で収納されるよう、その底面の高さレベルが低くなっており、別の収納区画は、所定枚数よりも少ない枚数の硬貨から形成される少枚数棒金硬貨が立位状態で収納されるよう、その底面の高さレベルが高くなっていてもよい。この場合にも、所定枚数よりも少ない枚数の硬貨から形成される少枚数棒金硬貨を、その上端縁の高さレベルが所定枚数の硬貨から形成される棒金硬貨が収納されたときの上端縁の高さレベルと略同一となるよう収納部に収納させることができるようになる。
【００６０】
また、上述したような本発明の様々な原理（発明特定事項）を、図１に示すような貨幣入出金機１に適用することに限定されることはなく、図１１に示すような貨幣管理装置１０１にも適用することもできる。図１１に示す貨幣管理装置１０１は例えば銀行等の金融機関において例えば現金バスとして設置されるようになっている。このような貨幣管理装置１０１は、略直方体形状の筐体１０２と、筐体１０２の内部にそれぞれ収容されるとともに筐体１０２からそれぞれ手前側に引出可能となっている第１紙幣収納ドロア１１０、第２紙幣収納ドロア１２０、第１硬貨収納ドロア１３０、第２硬貨収納ドロア１４０および予備収納ドロア１５０とを備えている。
【００６１】
第１紙幣収納ドロア１１０は例えば４つの紙幣保管容器を有しており、各紙幣保管容器には帯封紙等により帯封された帯封紙幣が金種毎に収納されるようになっている。同様に、第２紙幣収納ドロア１２０も例えば４つの紙幣保管容器を有しており、各紙幣保管容器には帯封紙等により帯封された帯封紙幣が金種毎に収納されるようになっている。また、第１硬貨収納ドロア１３０は例えば３つの硬貨保管容器を有しており、各硬貨保管容器には棒金硬貨が金種毎に立位状態で収納されるようになっている。同様に、第２硬貨収納ドロア１４０は例えば３つの硬貨保管容器を有しており、各硬貨保管容器には棒金硬貨が金種毎に立位状態で収納されるようになっている。また、予備収納ドロア１５０には現金以外の小切手等の有価証券類が収納されるようになっている。
【００６２】
また、貨幣管理装置１０１は、貨幣管理装置１０１の各構成部材を制御する制御部（図示せず）と、操作者とのインターフェースとしての表示部１９２と、制御部に各種の指示を与えるキーボード式操作部１９４と、操作者が所持するＩＤカードの内容を読み取るカードリーダ１９６とを備えている。図１１に示すように、これらの表示部１９２、キーボード式操作部１９４およびカードリーダ１９６は、筐体１０２の上面における手前側部分に配置されている。
【００６３】
第１硬貨収納ドロア１３０および第２硬貨収納ドロア１４０のうち第２硬貨収納ドロア１４０の構成の詳細を、図１２を用いて説明する。なお、第１硬貨収納ドロア１３０の構成も、図１２に示すような第２硬貨収納ドロア１４０の構成と略同一となっている。
【００６４】
上述したように、第２硬貨収納ドロア１４０は例えば３つの硬貨保管容器１４２（１４２ａ〜１４２ｃ）を有しており、各硬貨保管容器１４２（１４２ａ〜１４２ｃ）には、所定枚数（例えば、５０枚）の硬貨から形成される棒金硬貨が金種毎に立位状態で収納されるようになっている。より詳細には、各硬貨保管容器１４２（１４２ａ〜１４２ｃ）は、１０本の棒金硬貨を立位状態で収納可能な収納区画を複数（具体的には、７つまたは１０つ）有している。図１２において、各硬貨保管容器１４２（１４２ａ〜１４２ｃ）の収納区画に立位状態で収納されている棒金硬貨を参照符合Ｗで示している。そして、第２硬貨収納ドロア１４０を貨幣管理装置１０１の筐体１０２の内部から手前側に引き出すことにより、各硬貨保管容器１４２（１４２ａ〜１４２ｃ）の収納区画に棒金硬貨を収納したりこれらの硬貨保管容器１４２（１４２ａ〜１４２ｃ）に収納されている棒金硬貨を取り出したりすることができるようになっている。また、図１１に示すような貨幣管理装置１０１において、第２硬貨収納ドロア１４０を筐体１０２の内部にロックするロック機構（図示せず）が設けられており、第２硬貨収納ドロア１４０が筐体１０２の内部にロックされている状態では当該第２硬貨収納ドロア１４０を筐体１０２の内部から手前側に引き出すことができないようになっている。また、図１１に示すような貨幣管理装置１０１において、各硬貨保管容器１４２（１４２ａ〜１４２ｃ）の収納区画に収納されている棒金硬貨の重量を測定するロードセル等の重量計（図示せず）が設けられている。このような重量計により測定される棒金硬貨の重量に基づいて、制御部において各硬貨保管容器１４２（１４２ａ〜１４２ｃ）に収納されている棒金硬貨の本数が算出されるようになっている。
【００６５】
また、上述したように、図１２に示すような第２硬貨収納ドロア１４０では、各硬貨保管容器１４２（１４２ａ〜１４２ｃ）には、所定枚数（例えば、５０枚）の硬貨から形成される棒金硬貨が金種毎に立位状態で収納されるようになっているが、各硬貨保管容器１４２（１４２ａ〜１４２ｃ）は、所定枚数よりも少ない枚数（例えば、２０枚）の硬貨から形成される少枚数棒金硬貨を、その上端縁の高さレベルが所定枚数（例えば、５０枚）の硬貨から形成される棒金硬貨が収納されたときの上端縁の高さレベルと略同一となるよう収納可能となっている。具体的には、各硬貨保管容器１４２には、図３等に示すような装着部４０と同様の構成の装着部（図示せず）が着脱自在に装着されるようになっており、少枚数棒金硬貨が硬貨保管容器１４２に収納される際に、当該硬貨保管容器１４２に装着された装着部に少枚数棒金硬貨が立位状態で載置されるようになっている。なお、硬貨保管容器１４２の収納区画に収納される棒金硬貨の本数と、当該収納区画における硬貨保管容器１４２に装着された装着部に載置される少枚数棒金硬貨の本数は同じ（具体的には、両方とも１０本）となっている。また、硬貨保管容器１４２に装着部を装着することにより、この硬貨保管容器１４２の底面の高さレベルを嵩上げすることができるため、所定枚数（例えば、５０枚）の硬貨から形成される棒金硬貨が硬貨保管容器１４２に収納されたときの当該棒金硬貨の上端縁の高さレベルと、所定枚数よりも少ない枚数（例えば、２０枚）の硬貨から形成される少枚数棒金硬貨が硬貨保管容器１４２に装着されている装着部に載置されたときの当該少枚数棒金硬貨の上端縁の高さレベルとを略同一の大きさとすることができるようになる。このことにより、少枚数棒金硬貨を各硬貨保管容器１４２に収納した場合でも操作者は当該硬貨保管容器１４２から少枚数棒金硬貨を取り出しやすくなる。
【００６６】
また、図１１に示すような貨幣管理装置１０１に、図１に示すような貨幣入出金機１に適用される上述した本発明の様々な原理（発明特定事項）、すなわち特許請求の範囲の各請求項に記載される技術的事項を適用することができるようになっている。
【符号の説明】
【００６７】
１      貨幣入出金機
２      筐体
１０    紙幣処理ユニット
１２    紙幣受入部
１４    紙幣払出部
１６    扉
１８    回収カセット
１８ａ  扉
２０    硬貨処理ユニット
２２    硬貨受入部
２４    硬貨払出部
２６    回収カセット
２６ａ  扉
３０    棒金硬貨収納ユニット
３１    引出部
３２、３２ａ〜３２ｆ  収納部
３２ｐ、３２ｑ  収納区画
３２ｒ  凹部
３２ｓ  突起
３４    被係合部分
３６    装着検知センサ
３８    金種判別部
３８ａ  上端縁検知センサ
４０    装着部
４２    係合部分
５０    ロック機構
５２    重量計
９０    制御部
９２    操作表示部
９４    記憶部
９６    通信部
９７    硬貨枚数特定手段
９８    第１判断手段
９９    第２判断手段
１０１  貨幣管理装置
１０２  筐体
１１０  第１紙幣収納ドロア
１２０  第２紙幣収納ドロア
１３０  第１硬貨収納ドロア
１４０  第２硬貨収納ドロア
１４２、１４２ａ〜１４２ｃ  硬貨保管容器
１５０  予備収納ドロア
１９２  表示部
１９４  キーボード式操作部
１９６  カードリーダ
【図１】
0006618784.tif 000002
【図２】
0006618784.tif 000003
【図３】
0006618784.tif 000004
【図４】
0006618784.tif 000005
【図５】
0006618784.tif 000006
【図６】
0006618784.tif 000007
【図７】
0006618784.tif 000008
【図８】
0006618784.tif 000009
【図９】
0006618784.tif 000010
【図１０】
0006618784.tif 000011
【図１１】
0006618784.tif 000012
【図１２】
0006618784.tif 000013